(57)【要約】【課題】熱融着部の一部を切り落とすことなく形成可能で、手指で触れても痛みを感じることがない開封手段を備え、容易かつ確実に開封することが可能な包装袋を提供することを目的とする。【解決手段】一態様に係る包装袋は、シート材２によって内部空間３が形成され、この内部空間３がシート材２の熱融着部６によってシールされた包装袋１，１Ａにおいて、熱融着部６の一部には、熱融着部６の外端縁６ａから内部空間３の近傍まで延在する弱め部７が形成され、この弱め部７の外端縁部７ａには、切り込みまたは薄肉部からなる開封開始部８が形成され、角錐状の成形刃が対向して互いに入り込むようにシート材２に圧入されることによって形成される陥入部１０と突出部１１が、弱め部７内でシート材が引き裂かれる方向に、交互にかつ千鳥状に配置されている。【選択図】図３
2014213861.tif 000002
【特許請求の範囲】
【請求項１】
シート材によって内部空間が形成され、前記内部空間が前記シート材の熱融着部によってシールされた包装袋において、
前記熱融着部の一部には、前記熱融着部の外端縁から前記内部空間の近傍まで延在し、前記シート材の引裂き強度が弱められた弱め部が形成され、
前記弱め部の外端縁部には、切り込みまたは薄肉部からなる開封開始部が形成され、
角錐状の成形刃によって形成された陥入部と突出部が、前記弱め部内でシート材が引き裂かれる方向に、交互にかつ千鳥状に配置されていることを特徴とする包装袋。
【請求項２】
前記陥入部と前記突出部は、前記角錐状の成形刃が対向して互いに入り込むように前記シート材に圧入されることによって形成されたものであることを特徴とする請求項１に記載の包装袋。
【請求項３】
前記交互にかつ千鳥状に配置された陥入部と突出部のうち隣り合う陥入部と突出部については、陥入部の谷線と突出部の稜線とがほぼ一直線状に配置されていることを特徴とする請求項１または２に記載の包装袋。
【請求項４】
前記交互にかつ千鳥状に配置された陥入部と突出部のうち隣り合う陥入部と突出部については、陥入部の谷線を有する陥入部頂面の角部と、突出部の稜線を有する突出部底面の角部とが引裂き弱め線を形成するように近接配置されていることを特徴とする請求項１〜３のいずれかに記載の包装袋。
【請求項５】
前記開封開始部の切り込みまたは薄肉部の角部が引裂き弱め線を形成するように、陥入部の谷線を有する陥入部頂面の角部、及び／または、突出部の稜線を有する突出部底面の角部に近接配置されていることを特徴とする請求項１〜４のいずれかに記載の包装袋。
【請求項６】
前記開封開始部は、前記熱融着部の外端縁に尖端部を有するくさび状に形成された切り込みまたは薄肉部からなることを特徴とする請求項１〜５のいずれかに記載の包装袋。
【発明の詳細な説明】
【技術分野】
【０００１】
本発明は、包装袋、さらに詳しくは、シート材の周縁部を熱融着して袋状とし、熱融着部に開封手段を設けた包装袋に関する。
【背景技術】
【０００２】
従来、シート材の周縁部を熱融着して袋状とし、熱融着部に開封手段を設けた包装袋が知られている。この開封手段としては、熱融着部の外端縁に、Ｕ型、Ｖ型または亀甲型等の形状の切り欠き部を設けることが一般的である。
【０００３】
近年、包装袋のシート材として、絶縁フィルムにアルミニウム箔等の金属箔を積層した積層フィルムが採用されており、シート材の剛性が高くなる傾向にある。このような場合、シート材の剛性に応じて、熱融着部の剛性も高くなる。
【０００４】
なお、特許文献１は、切り欠き部を外側の角部が丸みを有する形状とすることで安全性を向上させた包装袋を開示している。
【０００５】
ここで、従来の包装袋の製造プロセスについて説明する。まず、２枚の長尺のシート材を重ね合わせる（ステップＳ１）。次に、縦シールおよび横シールを順次行い、シート材の外端部に熱融着部を形成する（ステップＳ２）。次に、熱融着部を加工して切り欠き部を形成する（ステップＳ３）。次に、長尺のシート材を袋１枚分の寸法に切断する（ステップＳ４）。このようなプロセスを経て、包装袋は製造される。
【先行技術文献】
【特許文献】
【０００６】
【特許文献１】特開２０００−１２８１８９号公報
【発明の概要】
【発明が解決しようとする課題】
【０００７】
従来の包装袋には下記の課題があった。
【０００８】
まず、包装袋を開封する際、上記開封手段としての切り欠き部の外側の角部に手指が触れることで、痛みを感じる等の安全上の課題があった。特に、熱融着部の剛性が高くなるにつれて危険性が高まる。
【０００９】
さらに、従来の包装袋では、開封容易性及び開封確実性が不十分であった。ここで、開封容易性とは、小さい力でも容易に包装袋を開封できることをいい、開封確実性とは、所望の線に沿って直線状に開封できることをいう。
【００１０】
また、特許文献１の場合は、上記の包装袋の製造プロセスのステップＳ４において、２枚刃または二度切り等の方法を用いて、カットライン間の熱融着部を帯状に切り落とす必要がある。そのため、材料の歩留まりの低下や、切り落としたシート材が異物として製品の包装袋に混入するリスクがある等の課題があった。
【００１１】
そこで、本発明は、熱融着部の一部を切り落とすことなく形成可能で、手指で触れても痛みを感じることがない開封手段を備え、容易かつ確実に開封することが可能な包装袋を提供することを目的とする。
【課題を解決するための手段】
【００１２】
本発明に係る包装袋は、
シート材によって内部空間が形成され、前記内部空間が前記シート材の熱融着部によってシールされた包装袋において、
前記熱融着部の一部には、前記熱融着部の外端縁から前記内部空間の近傍まで延在し、前記シート材の引裂き強度が弱められた弱め部が形成され、
前記弱め部の外端縁部には、切り込みまたは薄肉部からなる開封開始部が形成され、
角錐状の成形刃が対向して互いに入り込むように前記シート材に圧入されることによって形成される陥入部と突出部が、前記弱め部内でシート材が引き裂かれる方向に、交互にかつ千鳥状に配置されていることを特徴とする。
【００１３】
また、前記包装袋において、
前記陥入部と前記突出部は、前記角錐状の成形刃が対向して互いに入り込むように前記シート材に圧入されることによって形成されたものであるようにしてもよい。
【００１４】
また、前記包装袋において、
前記交互にかつ千鳥状に配置された陥入部と突出部のうち隣り合う陥入部と突出部については、陥入部の谷線と突出部の稜線とがほぼ一直線状に配置されているようにしてもよい。
【００１５】
また、前記包装袋において、
前記交互にかつ千鳥状に配置された陥入部と突出部のうち隣り合う陥入部と突出部については、陥入部の谷線を有する陥入部頂面の角部と、突出部の稜線を有する突出部底面の角部とが引裂き弱め線を形成するように近接配置されているようにしてもよい。
【００１６】
また、前記包装袋において、
前記開封開始部の切り込みまたは薄肉部の角部が引裂き弱め線を形成するように、陥入部の谷線を有する陥入部頂面の角部、及び／または、突出部の稜線を有する突出部底面の角部に近接配置されているようにしてもよい。
【００１７】
また、前記包装袋において、
前記開封開始部は、前記熱融着部の外端縁に尖端部を有するくさび状に形成された切り込みまたは薄肉部からなるようにしてもよい。
【発明の効果】
【００１８】
開封開始部が切り込みまたは薄肉部からなるため、熱融着部の外端縁に切り欠き部が形成されない。よって、本発明によれば、手指で開封開始部に触れても痛みを感じることがなく、安全性を向上させることができる。
【００１９】
さらに、陥入部の谷線及び突出部の稜線は成形刃により他の部分に比べ薄肉化されているため、手指により引裂き方向に沿って弱め部に応力を加えると、交互にかつ千鳥状に配置された陥入部及び突出部に沿って弱め部は引裂かれることとなる。よって、本発明によれば、包装袋を容易かつ確実に開封することができる。
【００２０】
さらに、本発明に係る包装袋では、開封開始部は切り込みまたは薄肉部からなり、かつ陥入部と突出部は角錐状の成形刃がシート材に圧入されることによって形成される。よって、本発明によれば、熱融着部の一部を切り落とすことなく形成可能な弱め部を備える包装袋を提供できる。
【００２１】
また、陥入部と突出部は角錐状の成形刃が対向して互いに入り込むようにシート材に圧入されることによって形成されたものとすることで、弱め部に凹凸が形成されるため、開封位置を指先の感触だけで容易に判別することができる。その結果、ユニバーサルデザインの観点から望ましい包装袋を得ることができる。
【図面の簡単な説明】
【００２２】
【図１】（ａ）及び（ｂ）ともに、本発明の一実施形態に係る包装袋を示す平面図である。
【図２】本発明の第１の実施形態に係る包装袋の弱め部を示す平面図である。
【図３】本発明の第１の実施形態に係る包装袋の弱め部の一部拡大図である。
【図４】本発明の第１の実施形態における、隣り合う陥入部と突出部の斜視図である。
【図５】（ａ）は角錐状の成形刃（上側成形刃、下側成形刃）が対向して互いに入り込んだ状態における成形刃の側面図であり、（ｂ）は下側成形刃の斜視図である。
【図６】本発明の第１の実施形態の変形例に係る包装袋の弱め部の一部拡大図である。
【図７】本発明の第１の実施形態に係る包装袋の製造方法の一例を説明するための図である。
【図８】本発明の第２の実施形態に係る包装袋の弱め部の一部拡大図である。
【図９】本発明の第３の実施形態に係る包装袋の弱め部の一部拡大図である。
【発明を実施するための形態】
【００２３】
以下、図面を参照しながら、本発明の実施形態に係る包装袋について説明する。なお、各図において同等の機能を有する構成要素には同一の符号を付し、同一符号の構成要素の詳しい説明は繰り返さない。
【００２４】
（第１の実施形態）
図１（ａ）及び（ｂ）は、それぞれ本発明の実施形態に係る包装袋１及び１Ａを示す平面図である。
【００２５】
包装袋１は、図１（ａ）に示すように、シート材２によって内部空間３が形成されている。この内部空間３は、シート材２の熱融着部６によってシール（封止）されている。
【００２６】
包装袋１Ａは、図１（ｂ）に示すように、包装袋１とほぼ同様の構成を有する。即ち、シート材２によって内部空間４及び５が形成され、この内部空間４，５はシート材２の熱融着部６によってシールされている。包装袋１Ａが包装袋１と異なる点は、開閉可能なチャック部９を有し、このチャック部９により、内部空間４と内部空間５が区切られている点である。
【００２７】
本発明に係る包装袋は、包装袋１，１Ａのような四方シール袋に限られず、例えば、三方シール袋、ガゼット袋、ピロー袋であってもよい。より一般的には、本発明に係る包装袋は、包装袋の外縁に設けられた熱融着部により内部空間がシールされているものであればよい。
【００２８】
次に、包装袋の内部空間を形成するシート材２について詳しく説明する。シート材２は、例えば、基材層に熱融着層を積層した積層フィルムである。この積層フィルムは、公知の積層方法で作製することが可能であるが、好ましくは、押出しラミネートにより、より好ましくは、ドライラミネートにより作製する。なお、後述するように、基材層と熱融着層との間に中間層が設けられていてもよい。
【００２９】
基材層は、印刷適性に優れ、さらには、十分な突き刺し強度、引っ張り強度、耐衝撃性及び耐熱性等を備えていることが好ましい。
【００３０】
基材層を構成するフィルムの材質としては、例えば、ポリエチレンテレフタレート、ポリプロピレン、ポリアミド、エチレンビニルアルコール共重合体等が挙げられる。好ましくは、基材層の絶縁フィルムは、これらの樹脂の二軸延伸フィルムまたは一軸延伸フィルムである。
【００３１】
また、基材層は、金属（アルミニウム、マグネシウム等）または酸化物（酸化珪素等）を絶縁フィルムに蒸着させてガスバリア性を付与した蒸着フィルムでもよい。あるいは、基材層は、絶縁フィルムをバリア性コート剤等で被覆したコートフィルムでもよい。バリア性コート剤としては、例えば、ポリ塩化ビニリデン等が挙げられる。
【００３２】
また、基材層は、上記フィルムのいずれか一つからなる単層フィルムであってもよく、あるいは、上記フィルムを任意に組み合わせて共押出ししてなる多層フィルムであってもよい。
【００３３】
なお、基材層の厚みは、６〜５０μｍであることが好ましく、９〜３０μｍであることがより好ましい。
【００３４】
次に、熱融着層について説明する。熱融着層は、基材層の上に設けられた熱融着（ヒートシール）可能な層である。この熱融着層の材質としては、例えば、高密度ポリエチレン、低密度ポリエチレン、直鎖低密度ポリエチレン、ポリプロピレン等の樹脂が挙げられる。
【００３５】
熱融着層は、好ましくは、いずれかの上記樹脂からなる未延伸フィルム、あるいは、上記樹脂を任意に組み合わせて共押出ししてなる多層フィルムからなる。
【００３６】
また、熱融着層の厚みは、１０〜２００μｍであることが好ましく、２０〜１００μｍであることがより好ましい。
【００３７】
シート材２は、上記の基材層と熱融着層の間に中間層を有してもよい。この中間層は、例えば、酸素バリア性、水蒸気バリア性、引裂き性等の機能性を備えたフィルムであることが好ましい。例えば、中間層は、アルミニウム等の金属箔、上記の蒸着フィルムまたはコートフィルム、その他、各種の機能性フィルムが挙げられる。また、必要に応じて、２つ以上の中間層を設けてもよい。
【００３８】
なお、中間層の厚みは６〜５０μｍであることが好ましく、９〜３０μｍであることがより好ましい。
【００３９】
次に、シート材の外端部をヒートシールして形成された熱融着部６について、詳しく説明する。熱融着部６は、シート材２を熱融着層同士が対向するように重ね合わせた後、所定の領域を加熱することにより形成されている。熱融着部６は、ピロー袋のように、一枚のシート材２を折り重ねて熱融着することにより形成されてもよい。
【００４０】
図１（ａ）に示すように、熱融着部６の一部には、引裂き強度が弱められた弱め部７が形成されている。
【００４１】
この弱め部７の詳細について、図２〜図５を用いて説明する。図２は包装袋１，１Ａの弱め部７を示す平面図であり、図３は弱め部７の一部拡大図であり、図４は隣り合う陥入部１０と突出部１１の斜視図である。図５（ａ）は、角錐状の成形刃（上側成形刃、下側成形刃）が対向して互いに入り込んだ状態における成形刃の側面図である。図５（ｂ）は下側成形刃の斜視図である。
【００４２】
図２に示すように、弱め部７は、熱融着部６の外端縁６ａから内部空間３の近傍（熱融着部６の内端縁６ｂ）まで延在する。弱め部７には、包装袋１の開封を開始するための開封開始部８と、複数の陥入部１０と、複数の突出部１１とが設けられている。詳しくは後述するが、熱融着部６は、開封開始部８、陥入部１０及び突出部１１においてシート材としての強度が局部的に弱められている。
【００４３】
まず、開封開始部８について説明する。開封開始部８は、図２に示すように、弱め部７の外側周辺に位置する外端縁部７ａに形成されている。
【００４４】
開封開始部８は、切り込みまたは薄肉部からなり、熱融着部６を局部的に弱めている。より詳しくは、開封開始部８は、外端縁部７ａの表面から裏面に至るまで設けられた切り込みからなるようにしてもよいし、あるいは、外端縁部７ａの表面（または裏面）に所定の深さの切れ目を入れることにより設けられた薄肉部からなるようにしてもよい。
【００４５】
このように、開封開始部８は切り込みまたは薄肉部からなるため、熱融着部６の外端縁６ａに切り欠き部が形成されない。これにより、包装袋を取り扱う際または開封する際に、手指に痛みを感じるおそれがない。
【００４６】
また、開封開始部８は、好ましくは、図３に示すように、熱融着部６の外端縁６ａに尖端部８ａを有するくさび状に形成された切り込みまたは薄肉部からなる。このように、開封開始部８の平面形状を、先端部８ａと２つの角部８ｂとを有するくさび状にすることにより、開封時の応力が角部８ｂに集中し易くなり、包装袋の開封容易性を向上させることができる。
【００４７】
なお、開封開始部８の平面形状は、くさび状に限らず、例えば、弱め部７が延在する方向に延びるスリットであってもよい。
【００４８】
また、開封開始部８は、弱め部７の外端縁部７ａに少なくとも２つ以上（図２では３カ所）形成されるようにしてもよい。これにより、開封時の応力をいずれかの開封開始部８で受ければよくなるため、包装袋の開封容易性をさらに向上させることができる。
【００４９】
次に、弱め部７に設けられた複数の陥入部１０と突出部１１について説明する。
【００５０】
これら複数の陥入部１０と突出部１１は、角錐状の成形刃が対向して互いに入り込むようにシート材２（熱融着部６）に圧入されることによって形成されたものである。これにより、開封位置を指先の感触だけで容易に判別することができ、ユニバーサルデザインの観点から望ましい包装袋が得られる。
【００５１】
ここで、上記角錐状の成形刃について、図５を参照して説明する。成形刃は、上側成形刃５１と下側成形刃５２とを有し、いずれも角錐状（本実施形態では四角錐状）のものである。図５（ａ）は、上側成形刃５１と下側成形刃５２とが対向して互いに入り込んだ状態の側面図を示している。図５（ｂ）は、成形刃の斜視図を示している。
【００５２】
なお、図５（ａ）及び（ｂ）中の成形刃５３は、前述の開封開始部８を形成するための成形刃である。成形刃５３は、下側成形刃５２と同様、下側にいくほど横断面積が大きくなる形状を有している。
【００５３】
成形刃５３は、図５（ａ）及び（ｂ）に示すように、成形刃の片側（図５では下側）にのみ設けられることが好ましい。このようにすることで、成形刃がシート材２（熱融着部６）に圧入される際、ストローク運動する上側成形刃５１によって押さえつけられたシート材２に、成形刃５３が深く突き刺さることになる。これにより、開封開始部８においてシート材２の強度が弱められるとともに、開封開始部８の面積が増加する。その結果、包装袋の開封容易性をより向上させることができる。
【００５４】
陥入部１０の各々は、４本の谷線１０ａと、底部１０ｂとを有する略四角錐状に形成されている。突出部１１の各々は、４本の稜線１１ａと、頂部１１ｂとを有する略四角錐状に形成されている。
【００５５】
陥入部１０の谷線１０ａ及び突出部１１の稜線１１ａは、陥入部１０及び突出部１１の他の部分に比して相対的に引裂き強度が弱められている。これは、谷線１０ａ及び稜線１１ａが角錐状の成形刃（側面の辺刃）により、折り罫がつけられ、更に底部１０ｂ及び頂部１１ｂに向かうにしたがって薄肉化されていることによる。
【００５６】
陥入部１０は、上側成形刃５１により形成された、熱融着部６を厚さ方向に貫通する貫通孔である。また、突出部１１は、下側成形刃５２により形成された、熱融着部６を厚さ方向に貫通する貫通孔である。このように、陥入部１０及び突出部１１は、貫通孔として形成されており、熱融着部６の引裂き強度を弱めている。陥入部１０及び突出部１１が貫通孔として形成されている場合は、陥入部１０の底部１０ｂ及び突出部１１の頂部１１ｂは開口している。
【００５７】
なお、陥入部１０及び突出部１１は、熱融着部６の引裂き強度が弱められれば貫通孔に限定されるものではない。例えば、陥入部１０及び突出部１１は、成形刃の圧入によりシート材２が引き延ばされた薄肉部として形成されていてもよい。この場合は、陥入部１０の底部１０ｂ及び突出部１１の頂部１１ｂは開口しない。
【００５８】
次に、陥入部１０と突出部１１の配置について、図３を参照して説明する。図３に示すように、陥入部１０と突出部１１は、弱め部７内でシート材２が引き裂かれる方向（以下、単に「引裂き方向」ともいう。）に、交互にかつ千鳥状に、換言すればジグザグ状に配置されている。
【００５９】
図２および図３に示すように、引裂き方向に沿って一定間隔で配列された陥入部１０の列と、引裂き方向に沿って一定間隔で配列された突出部１１の列とは、陥入部１０と突出部１１が互い違いの位置関係となるように配列されている。このような陥入部１０の列と突出部１１の列を組み合わせた構成（凹凸配列構成）を、図２に示すように、少なくとも２つ以上設けることにより、包装袋の開封確実性をさらに向上させることができる。また、図２に示すように、開封開始部８が陥入部１０の列と隣の陥入部１０の列との間に配置されていることで、包装袋の開封容易性をさらに向上させることができる。
【００６０】
前述のように、陥入部１０の谷線１０ａ及び突出部１１の稜線１１ａは、成形刃により折り罫がつけられ、更に底部１０ｂ及び頂部１１ｂに向かうにしたがって薄肉化されているため、陥入部１０及び突出部１１の他の部分に比して相対的に引裂き強度が弱められている。このため、弱め部７に手指により引裂き方向に応力を加えると、図３及び図４に示すように、交互にかつ千鳥状に配置された陥入部１０及び突出部１１に沿って弱め部７は引裂かれることとなる。これにより、包装袋を容易かつ確実に開封することができる。
【００６１】
図３に示すように、交互にかつ千鳥状に配置された陥入部１０と突出部１１のうち、隣り合う陥入部と突出部については、陥入部の谷線１０ａと突出部の稜線１１ａとが一直線状に配置されていることが好ましい。
【００６２】
なお、谷線１０ａと稜線１１ａが厳密に一直線状に配置されていることは必ずしも必要ではない。例えば、本実施形態の変形例に係る図６に示すように、谷線１０ａと稜線１１ａとが、ほぼ一直線状に配置されていればよい。
【００６３】
このように、隣り合う陥入部１０と突出部１１については、谷線１０ａと稜線１１ａとがほぼ一直線状に配置されていることにより、図３及び図６に示すように、引裂き弱め線Ｌが略ジグザグ状となる。
【００６４】
ここで、引裂き弱め線Ｌとは、熱融着部６の引裂き強度が弱められた部分から構成される線のことである。陥入部１０の谷線１０ａ及び突出部１１の稜線１１ａは、前述のように折り罫が付与され、更に薄肉化されており、引裂き弱め線を形成する。このため、包装袋を開封する際、弱め部７がジグザグ状に引裂かれ、包装袋の開封容易性及び開封確実性をさらに向上させることができる。
【００６５】
また、好ましくは、図３及び図４に示すように、隣り合う陥入部１０と突出部１１については、陥入部頂面１０ｃの角部１０ｄと、突出部底面１１ｃの角部１１ｄとが引裂き弱め線を形成するように近接配置されている。
【００６６】
ここで、陥入部頂面１０ｃ及び突出部底面１１ｃについて説明する。陥入部頂面１０ｃは、陥入部１０の仮想的な頂面、即ち、陥入部１０を底部１０ｂの側に頂点を有する四角錐とみたときの該四角錐の底面をいう。突出部底面１１ｃは、突出部１１の仮想的な底面、即ち、突出部１１を頂部１１ｂの側に頂点を有する四角錐とみたときの該四角錐の底面をいう。陥入部頂面１０ｃは、４つの角部１０ｄを有する略四角形である。突出部底面１１ｃは、４つの角部１１ｄを有する略四角形である。
【００６７】
角部１０ｄは、陥入部１０の谷線１０ａを有する角部である。角部１１ｄは、突出部１１の稜線１１ａを有する角部である。
【００６８】
「陥入部頂面１０ｃの角部１０ｄと、突出部底面１１ｃの角部１１ｄとが引裂き弱め線を形成するように近接配置されている」とは、角部１０ｄと角部１１ｄ間の熱融着部６の引裂きを容易に行うことができる程度に、角部１０ｄと角部１１ｄが近接して配置されていることをいう。
【００６９】
上記のように、角部１０ｄと角部１１ｄが近接配置されると、引裂き弱め線は、図３及び図４に示すように、連続的となる。これにより、包装袋の開封容易性及び開封確実性をさらに向上させることができる。
【００７０】
なお、開封開始部８についても、図２及び図３に示すように、開封開始部８の切り込みまたは薄肉部の角部８ｂが引裂き弱め線を形成するように、陥入部頂面１０ｃの角部１０ｄ、及び／または突出部底面１１ｃの角部１１ｄに近接配置されている。
【００７１】
ここで、角部１０ｄ及び角部１１ｄは、それぞれ陥入部１０の谷線１０ａ及び突出部１１の稜線１１ａを有する角部である。
【００７２】
これにより、引裂き弱め線が開封開始部８から連続するようになり、包装袋の開封容易性及び開封確実性をさらに向上させることができる。
【００７３】
以上説明したように、第１の実施形態に係る包装袋では、熱融着部６に設けられた弱め部７に手指により引裂き方向に応力を加えると、交互にかつ千鳥状に配置された陥入部１０及び突出部１１に沿って弱め部７は引裂かれることとなる。これにより、本実施形態によれば、包装袋を容易かつ確実に開封することができる。
【００７４】
また、開封開始部８は切り込みまたは薄肉部からなるため、熱融着部６の外端縁６ａに切り欠き部が形成されない。よって、本実施形態によれば、包装袋を開封する際に、手指に痛みを感じるおそれがなく、安全性を向上させることができる。
【００７５】
さらに、開封開始部８は切り込みまたは薄肉部からなり、かつ陥入部１０と突出部１１は角錐状の成形刃がシート材に圧入されることによって形成される。よって、本実施形態に係る包装袋は、熱融着部６の一部を切り落とすことなく形成可能な開封手段としての弱め部７を備える。
【００７６】
なお、開封容易性および開封確実性の観点から、隣り合う陥入部１０（突出部１１）の底部１０ｂ（頂部１１ｂ）間の距離は、シート材がアルミニウム箔を含む場合、０．０５ｍｍ〜０．５０ｍｍであることが好ましく、アルミニウム箔を含まない場合は、０．０５ｍｍ〜０．２ｍｍであることが好ましい。
【００７７】
（包装袋の製造方法）
ここで、本実施形態に係る包装袋１の製造方法の一例について、図７を用いて説明する。図７は、本実施形態に係る包装袋１の製造方法を説明するための図であり、図中上側から下側に流れる、重ね合わされた２枚の長尺のシート材の平面図を示している。
【００７８】
まず、前述の積層フィルムからなる長尺のシート材２を２枚重ね合わせ後、縦シール及び横シールを順次行い、熱融着部６を形成する。ここで、「縦シール」は、長尺のシート材の長手方向（図７中の流れ方向）の熱融着を指し、「横シール」は、該シート材の長手方向に垂直な方向の熱融着を指す。
【００７９】
次に、図５で説明した成形刃を用いて、図７に示すように、横シールにより形成された熱融着部６の所定の領域に、弱め部７Ａを形成する。この際、開封開始部８を形成するための成形刃５３が断裁線Ｍ２を跨ぐように、シート材２と成形刃との位置決めを行う。
【００８０】
次に、図７に示すように、断裁線Ｍ１に沿って断裁して、包装袋の開口部を形成する。
【００８１】
次に、断裁線Ｍ２に沿って断裁して、個々の包装袋に切り分ける。この際、弱め部７Ａが二分され、２つの弱め部７となる。
【００８２】
その後、開口部から内部空間に内容物を収容し、開口部を熱融着して閉じる。
【００８３】
上記の包装袋の製造方法によれば、熱融着部の一部を切り落とすことなく弱め部７を形成することができるので、材料の歩留まりの低下や、切り落としたシート材が異物として製品の包装袋に混入するリスクを回避することができる。
【００８４】
なお、前述のように、陥入部１０と突出部１１は、角錐状の成形刃が対向して互いに入り込むようにシート材２に圧入されることによって形成されたものである。即ち、本実施形態では、熱融着部６の表面および裏面からそれぞれ上側成形刃５１と下側成形刃５２が入り込むことにより弱め部７に凹凸が形成される。これにより、開封位置を指先の感触だけで容易に判別することができ、ユニバーサルデザインの観点から望ましい包装袋が得られる。
【００８５】
また、図５（ａ）に示すように、隣り合う上側成形刃５１の間には、溝部５４が設けられ、隣り合う下側成形刃５２の間には、溝部５５が設けられている。これにより、陥入部１０および突出部１１を形成する際、互いに入り込む上側成形刃５１および下側成形刃５２の先端部がそれぞれ溝部５５および溝部５４に収容され、相手方の成形刃に接触することが防止される。その結果、長期間使用しても、成形刃の磨耗や破損により生じるカスや破片等が包装袋に異物として付着するおそれがなくなり、極めて高い安全性を確保することができる。
【００８６】
また、互いに入り込む上側成形刃と下側成形刃の先端部を用いることで、陥入部１０及び突出部１１を狭い間隔で配置することができ、開封容易性を向上させることができる。
【００８７】
なお、長尺のシート材は両端に加えられるテンション（張力）の影響で伸縮するため、断裁線Ｍ２に沿ってシート材を断裁して個々の包装袋に切り分ける際、包装袋のピッチズレが発生することが事実上避けられない。このピッチズレに伴って、断裁線Ｍ２がシート材の流れ方向に対して多少前後にずれることがある。本実施形態では、開封開始部８はシート材の流れ方向に沿って断裁線Ｍ２の位置ずれ量よりも長く形成されるため、断裁線Ｍ２の位置が多少前後したとしても、開封開始部８は弱め部７の外端縁部７ａに設けられることとなり、包装袋の開封容易性を確保することができる。
【００８８】
これに対し、仮に開封開始部８を設けない場合は、開封性を確保するために断裁線Ｍ２が陥入部１０の底部１０ｂまたは突出部１１の頂部１１ｂを跨ぐようにする必要があるが、底部１０ｂおよび頂部１１ｂのいずれも流れ方向の幅は断裁線Ｍ２の位置ずれ量よりも小さいため、断裁線Ｍ２の位置が発生すると、包装袋の開封容易性が大幅に低下するおそれがある。
【００８９】
このように、本実施形態によれば、開封開始部８と、陥入部１０と突出部１１からなる凹凸配列構成とを組み合わせることで、断裁線Ｍ２の位置ずれに伴って開封容易性が低下することを防止することができ、包装袋に安定した開封性を付与することが可能となる。
【００９０】
（第２の実施形態）
次に、本発明の第２の実施形態について説明する。第２の実施形態と第１の実施形態との主な相違点は、陥入部及び突出部の構成である。以下、第１の実施形態との相違点を中心に第２の実施形態について説明する。
【００９１】
図８は、本発明の第２の実施形態に係る包装袋の弱め部７の一部拡大図である。図８に示すように、陥入部２０と突出部２１は、引裂き方向に沿って、交互にかつ千鳥状に配置されている。
【００９２】
陥入部２０と突出部２１は、三角錐状の成形刃が対向して互いに入り込むようにシート材２（熱融着部６）に圧入されることによって形成されたものである。
【００９３】
陥入部２０は、３本の谷線２０ａと、底部２０ｂとを有する略三角錐状に形成されている。突出部２１は、３本の稜線２１ａと、頂部２１ｂとを有する略三角錐状に形成されている。
【００９４】
また、第２の実施形態では、陥入部頂面は、３つの角部２０ｄを有する略三角形であり、突出部底面は、３つの角部２１ｄを有する略三角形である。
【００９５】
なお、陥入部２０と突出部２１は、貫通孔として形成されてもよいし、非貫通孔として形成されてもよい。貫通孔として形成されている場合は、陥入部２０の底部２０ｂ及び突出部２１の頂部２１ｂは開口している。
【００９６】
陥入部２０の谷線２０ａ及び突出部２１の稜線２１ａは、成形刃により薄肉化されているため、陥入部２０及び突出部２１の他の部分に比して相対的に引裂き強度が弱められている。このため、弱め部７に手指により引裂き方向に応力を加えると、交互にかつ千鳥状に配置された陥入部２０及び突出部２１に沿って弱め部７は引裂かれることとなる。これにより、包装袋を容易かつ確実に開封することができる。
【００９７】
なお、第２の実施形態においても、交互にかつ千鳥状に配置された陥入部２０と突出部２１のうち、隣り合う陥入部と突出部については、図８に示すように、陥入部の谷線２０ａと突出部の稜線２１ａとがほぼ一直線状に配置されていることが好ましい。これにより、弱め部７が引裂き弱め線に沿って略ジグザグ状に引裂かれ、包装袋の開封容易性及び開封確実性をさらに向上させることができる。
【００９８】
また、隣り合う陥入部２０と突出部２１については、陥入部頂面の角部２０ｄと、突出部底面の角部２１ｄとが引裂き弱め線を形成するように近接配置されていることが好ましい。これにより、引裂き弱め線が連続的となり、包装袋の開封容易性及び開封確実性をさらに向上させることができる。
【００９９】
以上説明したように、陥入部及び突出部が略三角錐状の場合であっても、第１の実施形態と同様の効果を得ることができる。
【０１００】
陥入部及び突出部を形成する角錐状の成形刃は、四角錐に限らず、三角錐や、その他の角錐でもあってもよい。
【０１０１】
（第３の実施形態）
次に、本発明の第３の実施形態について説明する。第３の実施形態と第１の実施形態との主な相違点は、陥入部及び突出部の構成である。以下、第１の実施形態との相違点を中心に第３の実施形態について説明する。
【０１０２】
図９は、本発明の第３の実施形態に係る包装袋の弱め部７の一部拡大図である。図９に示すように、陥入部３０と突出部３１は、引裂き方向に沿って、交互にかつ千鳥状に配置されている。
【０１０３】
陥入部３０と突出部３１は、側面がＶ字形に凹んだ四角錐状の成形刃が対向して互いに入り込むようにシート材２（熱融着部６）に圧入されることによって形成されたものである。
【０１０４】
陥入部３０は、４本の谷線３０ａと、底部３０ｂと、４本の稜線３０ｃとを有する形状に形成されている。また、突出部３１は、４本の稜線３１ａと、頂部３１ｂと、４本の谷線３１ｃとを有する形状に形成されている。
【０１０５】
また、第３の実施形態では、陥入部頂面は、４つの角部３０ｄ及び４つの角部３０ｅを有するいわゆる手裏剣形である。突出部底面は、４つの角部３１ｄ及び４つの角部３１ｅを有するいわゆる手裏剣形である。
【０１０６】
なお、陥入部３０と突出部３１は、貫通孔として形成されてもよいし、非貫通孔として形成されてもよい。貫通孔として形成されている場合は、陥入部３０の底部３０ｂ及び突出部３１の頂部３１ｂは開口している。  
陥入部３０の谷線３０ａ及び突出部３１の稜線３１ａは、成形刃により薄肉化されているため、陥入部３０及び突出部３１の他の部分に比して相対的に引裂き強度が弱められている。このため、弱め部７に手指により引裂き方向に応力を加えると、交互にかつ千鳥状に配置された陥入部３０及び突出部３１に沿って弱め部７は引裂かれることとなる。これにより、包装袋を容易かつ確実に開封することができる。
【０１０７】
なお、第３の実施形態においても、交互にかつ千鳥状に配置された陥入部３０と突出部３１のうち、隣り合う陥入部と突出部については、図９に示すように、陥入部の谷線３０ａと突出部の稜線３１ａとがほぼ一直線状に配置されていることが好ましい。これにより、弱め部７が引裂き弱め線に沿って略ジグザグ状に引裂かれ、包装袋の開封容易性及び開封確実性をさらに向上させることができる。
【０１０８】
また、隣り合う陥入部３０と突出部３１については、陥入部頂面の角部３０ｄと、突出部底面の角部３１ｄとが引裂き弱め線を形成するように近接配置されていることが好ましい。これにより、引裂き弱め線が連続的となり、包装袋の開封容易性及び開封確実性をさらに向上させることができる。
【０１０９】
ここで、近接配置された角部３０ｄ及び角部３１ｄは、それぞれ谷線３０ａ及び稜線３１ａを有する角部である。本実施形態では、稜線３０ｃを有する角部３０ｅ及び谷線３１ｃを有する角部３１ｅが存在するが、これらの角部３０ｅ，３１ｅは近接配置されず、引裂き弱め線を形成しない。
【０１１０】
以上説明したように、角錐状の成形刃は、側面が凹んだ角錐のように、側面の辺刃を有するものであればよい。より一般的に言えば、本発明における「角錐状の成形刃」は、横断面が多角形となる略錐体状のものであればよい。この多角形には、凸状の角部（前述の３０ｄ等）及び凹状の角部（前述の３０ｅ）を有する多角形も含まれる。凸状の角部は成形刃の稜線を有し、凹状の角部は成形刃の谷線を有する。
【０１１１】
また、錐体の頂点は必ずしも尖っている必要はなく、例えば非貫通の陥入部または突出部の場合には、切頭錐体であってもよい。
【０１１２】
上記のような成形刃により陥入部及び突出部が形成されていても、第１の実施形態と同様の効果を得ることができる。
【０１１３】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【０１１４】
１，１Ａ  包装袋
２  シート材
３，４，５  内部空間
６  熱融着部
６ａ  外端縁
６ｂ  内端縁
７，７Ａ  弱め部
７ａ  外端縁部
８  開封開始部
８ａ  尖端部
８ｂ  角部
９  チャック部
１０，２０，３０  陥入部
１０ａ，２０ａ，３０ａ，３１ｃ  谷線
１０ｂ，２０ｂ，３０ｂ  底部
１０ｃ  陥入部頂面
１０ｄ，２０ｄ，３０ｄ，３０ｅ  角部
１１，２１，３１  突出部
１１ａ，２１ａ，３０ｃ，３１ａ  稜線
１１ｂ，２１ｂ，３１ｂ  頂部
１１ｃ  突出部底面
１１ｄ，２１ｄ，３１ｄ，３１ｅ  角部
１２  陥入部頂面
１３  突出部底面
５１  上側成形刃
５２  下側成形刃
５３  成形刃
５４，５５  溝部
Ｌ  引裂き弱め線
Ｍ１，Ｍ２  断裁線
【図１】
2014213861.tif 000003
【図２】
2014213861.tif 000004
【図３】
2014213861.tif 000005
【図４】
2014213861.tif 000006
【図５】
2014213861.tif 000007
【図６】
2014213861.tif 000008
【図７】
2014213861.tif 000009
【図８】
2014213861.tif 000010
【図９】
2014213861.tif 000011